【事件の表示】
　特願２００１−５６９５１１「超音波Ｂモード及びドップラー・フロー・イメージング」拒絶査定不服審判事件〔平成１３年９月２７日国際公開、ＷＯ０１／７１３７６、平成１５年９月２４日国内公表、特表２００３−５２７９０５〕について、次のとおり審決する。
【結　論】
　本件審判の請求は、成り立たない。
【理　由】
第１　手続の経緯
　本件は、平成１３年２月１５日（パリ条約による優先権主張外国受理庁　平成１２年３月２３日、米国（ＵＳ））を国際出願日とする特許出願（２００１年特許願第５６９５１１号。以下「本件出願」という。）につき、平成２３年７月１日付けで拒絶査定（発送日：同年同月５日）がなされたところ、これに対し、同年１０月１２日に拒絶査定不服審判が請求されるとともに、同日付けで手続補正がなされたものである。
　
第２　平成２３年１０月１２日付けの手続補正についての補正却下の決定
　１　補正却下の決定の結論
　平成２３年１０月１２日付けの手続補正を却下する。
　　
　２　補正却下の決定の理由
　（１）平成２３年１０月１２日付けの手続補正書による手続補正（以下、「本件補正」という。）の内容
　本件補正は、本件出願の明細書の特許請求の範囲の請求項１を以下のとおり補正することを含むものである。
　　　　　　　　
　ア　本件補正前の特許請求の範囲の請求項１（平成２３年２月１７日提出の手続補正書の請求項１）
「【請求項１】 超音波システム（１０）において、検査対象物（Ｓ）から、マルチゲート方式ドップラー・データ及びＢモード・データを取得して表示する装置であって、
　前記検査対象物内へ超音波を送信するように接続されている超音波送信器（５０）と、
　前記検査対象物から後方散乱された超音波に応答して、後方散乱信号を作成するように接続されている受信器（５０）と、
　前記後方散乱信号に応答して、前記対象物内の深さ変分の所定の範囲を表す複数のドップラー信号サンプルを作成する複数の距離ゲート（７１〜７４）と、
　前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）と、
　前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表すドップラー画像を作成する表示装置（６０）と、
を有し、
　前記深さ変分の範囲を表す前記ドップラー画像の一部は、前記深さ変分の範囲内の前記対象物の一部を表すＢモード画像に重ね合わされる、検査対象物（Ｓ）からドップラー及びＢモード・データを取得して表示する装置。」
　　
　イ　本件補正後の特許請求の範囲の請求項１
「【請求項１】 超音波システム（１０）において、検査対象物（Ｓ）から、マルチゲート方式ドップラー・データ及びＢモード・データを取得して表示する装置であって、
　前記検査対象物内へ超音波を送信するように接続されている超音波送信器（５０）と、
　前記検査対象物から後方散乱された超音波に応答して、後方散乱信号を作成するように接続されている受信器（５０）と、
　前記後方散乱信号に応答して、前記対象物内の深さ変分の所定の範囲を表す複数のドップラー信号サンプルを作成する複数の距離ゲート（７１〜７４）と、
　前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）と、
　前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表す
複数の
を有し、
前記超音波は、前記対象物内の第１の関心領域（ＲＯＩ１）へ方向付けされた第１のドップラー・ビーム（Ｂ１）と、前記対象物内の第２の関心領域（ＲＯＩ２）へ方向付けされ、前記第１のドップラー・ビーム（Ｂ１）に対して独立した第２のドップラー・ビーム（Ｂ２）とを含んでおり、前記後方散乱信号は、前記第１のドップラー・ビーム（Ｂ１）に応答して前記第１の関心領域から後方散乱された超音波に応答して作成された第１群の後方散乱信号と、前記第２のドップラー・ビーム（Ｂ２）に応答して前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり
　
また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んでおり
　前記深さ変分の範囲を表す前記ドップラー画像の一部は、前記深さ変分の範囲内の前記対象物の一部を表すＢモード画像に重ね合わされる、検査対象物（Ｓ）からドップラー及びＢモード・データを取得して表示する装置。」
（なお、下線部は補正箇所を示す。）　
　
　（２）　本件補正の適否について
　本件補正において、本件補正前の請求項１の「ドップラー画像」を「複数のドップラー画像」とすることは、ドップラー画像を減縮し、特定する補正であり、さらに、同請求項１に、「前記超音波は、前記対象物内の第１の関心領域（ＲＯＩ１）へ方向付けされた第１のドップラー・ビーム（Ｂ１）と、前記対象物内の第２の関心領域（ＲＯＩ２）へ方向付けされ、前記第１のドップラー・ビーム（Ｂ１）に対して独立した第２のドップラー・ビーム（Ｂ２）とを含んでおり、前記後方散乱信号は、前記第１のドップラー・ビーム（Ｂ１）に応答して前記第１の関心領域から後方散乱された超音波に応答して作成された第１群の後方散乱信号と、前記第２のドップラー・ビーム（Ｂ２）に応答して前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり、また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んでおり、」の構成を付加する補正は、補正前の「超音波」、「後方散乱信号」、「複数のドップラー信号サンプル」、及び「ドップラー画像」の構成を、減縮し特定する補正であるから、特許請求の範囲を減縮するものである。
　そうすると、本件補正は減縮する補正を含む補正であり、平成１８年法律第５５号改正附則第３条第１項によりなお従前の例とされる同法による改正前（以下、単に「平成１８年改正前」という。）の特許法第１７条の２第４項第２号に規定する特許請求の範囲の減縮を目的とするものに該当する。
　 　
　（３）　独立特許要件について
　そこで、本件補正後の特許請求の範囲の請求項１に係る発明（以下、「本願補正発明」という）が、特許出願の際独立して特許を受けることができるものであるか（平成１８年改正前の特許法第１７条の２第５項において準用する同法第１２６条第５項の規定に適合するか）について以下に検討する。
　
　（ア）引用刊行物記載の発明
（３Ａ）原査定の拒絶の理由に引用され、本件出願の優先権主張の日前に頒布された特開昭６１−１８１４４９号公報（以下、「引用刊行物Ａ」という。）には、図面とともに次の事項が記載されている。（下線は当審で付与したものである。以下、同様である。）
　
（３Ａ−１）「特許請求の範囲
（１）
生体被検査領域の２次元血流速分布を
計測する
該第２の手段が出力する線状領域の流速情報を該流速情報に比例する変位で、２次元血流速分布図上に又は前記指定線が表示された該２次元血流速分布図と並べて同時表示する手段を有することを特徴とする血流速度測定装置。
・・・
（５）
２次元血流速分布図にはＢモード図が重ね表示されている
　
（３Ａ−２）「〔概要〕
　２次元血流速分布図と、該分布図上の指定線上の血流速分布を血流速に比例する変位として表示する分布図を、位置対応が明瞭なようにして同時表示し、各部面流速の把握が確実、容易であるようにした。
〔産業上の利用分野〕
　本発明は、生体内臓器特に心臓の中の血液の流速を可視像化し、臓器の超音波像と共に表示して、心臓病などの診断を正確、迅速に行なうのに有効な血流速度測定装置に関する。
　
超音波を生体内に送信し、反射波を受信して
表示すると、生体内蔵器の像が得られ、かかる装置
超音波診断装置
・・・
〔従来の技術〕
　指定した線上の血流速分布のような１次元流速分布表示（ＩＤ）は一般に横軸は時間のＭモード像上で行なわれ、臓器内面流速分布のような２次元流速分布表示（２Ｄ）はＢモード像上で行なわれる。第６図で説明すると（ａ）はＭモート像上のＩＤ表示で、横軸は時間、縦軸は距離（深さ）である。曲線４１〜４３は臓器（本例では心臓）の器壁、斜線部４４，４５は血流速を示す。即ち曲線４１〜４３は器壁の各１点を示すがこれらは運動しているので時間軸で見れば曲線になり、またこれらの器壁で囲まれた空間（こゝでは線状空間）内の血液は流れているので流速を持ちその流速が輝度で表わされるので該空間つまり４４，４５は時間軸で見れば流速の時間変化に対応して輝度が変化する領域となる。横軸は時間のＭモート表示に重ねられたこのＩＤ表示は、速度が輝度（または色）で表わされるため、速度値を詳細に読取ることは困難である。
　
第６図（ｂ）はＢモード像上の２Ｄ表示例を示し、
この像は第５図に示すようにプローブ（超音波送受信器）１０からの超音波で生体内被検査領域を扇形走査して得られたものである
反射波を受信する
第６図（ｂ）の５１〜５４の如く表示される（これをＢモード像という
・・・
　
第５図は
超音波診断装置の概要を示す図
プローブ１０は多数の超音波送受信子を配列してなる
送信・偏向部２０で該プローブの送受信子を逐次選択して電圧印加することにより送出角度を順次異ならせて超音波を送信し
受信・偏向部２２はその逐次選択される送受信子の反射波受信出力を受取り、それをＢモード又はＭモード処理部２４及びマルチゲートドプラ処理部２６へ送る
表示制御部２８はＣＲＴ表示部３０ヘビデオ信号を送る画面メモリを備えており
処理部２６は該画面メモリへ血流速情報
を書込む
画面メモリはＣＲＴに表示される画像と同じ画像（但しデータ）を格納される
　第６図（ａ）のようなＭモード像を表示する場合はカーソル１４により超音波を送受信する線状領域を指定し、この線状領域へ超音波を繰り返し、例えば１００回送信し、その都度
反射超音波を受信する
その受信データを処理部２４
処理し
表示部３０
示すれば
処理部２６でドップラ処理して流速データを得
プローブ１０で送受信する超音波送出領域を
扇状領域１２に亘って変化させれば、第６図（ｂ）の像になる
　
（３Ａ−３）「〔問題点を解決するための手段および実施例〕
　本発明は、
生体被検査領域の２次元血流速分布をリアルタイムに計測する第１の手段
　
本発明の血流速度測定装置の概略、構成は第５図と同じであり、異なるのは表示制御部２８の一部で、これを第１図に示す
第５図のＢ／Ｍモード処理部２４及びマルチゲートドプラ処理部２６より画像データを書込まれる
これらの図の画像６０は第６図（ｂ）と同じ２Ｄ表示を加えたＢモード像
カーソル１４ａで指定した線状領域に超音波送受信方向を固定して
送受信し、マルチゲートドプラ処理部２６で血流速分布を求め
それを画像６０と同じ表示部（ＣＲＴ）画面７０にグラフ表示する
グラフ６Ｉで表わされる流速分布
　
第２図（ｂ）では前記グラフは６２であり、これは画像６０上のカーソル１４ａ上に表示され
カーソル１４ａは超音波送受信方向を示す線
　第２図（ａ）のグラフ６１を画かせるには、ビットマップ２８ａは画面７０に対応させ、該ビットマップの一部に画像６０のデータを書込み（この書込み系は第１図では図示を省略している）、該ビットマップの残部にグラフ６１のデータを書込めばよい。第１図のＤはカーソル１４ａ上のｎ個の点（ドップラ処理はこのように分割して行なう）の流速データであり、速度ピット・マップアドレス変換回路２８ｂにより、該ｎ個の点に対する画面７０上、従ってビットマップ２８ａ上アドレスが求められ、該アドレスにデータＤが書込まれる。詳しくは、該アドレス（これは画面の横方向をｘ座標、縦方向をｙ座標として、所定のｘ座標を通りＸ方向に延びる直線の座標）をデータＤでｘ方向に変えたアドレスに、所定の輝点を表わすデータが書込まれる。アドレス変換回路２８ｂはかゝるｘ座標Ａｘを出力し、また歩進カウンタ２８ｄはｙ座標Ａｙを出力する。
　第２図（ｂ）のグラフ６２のデータもは一同様にしてビットマップに書込むことができるが、カーソル１４ａがＸ方向を向く場合はとも角（第１図（ａｌとはＸ座標が異なるのみ）、それ以外の斜め方向を向く場合は修正が必要である。即ちカーソル１４ａはグラフ６２の横軸になるので、それが傾くということは座標回転させたことであり、グラフ６２上の各点の座標を該座標回転に応じて座標変換する必要がある。この座標変換をするに必要なデータは読取り専用メモリ２８Ｃに格納しておき、カーソルの角度情報φによりこれを読出し、得られた修正量Δｘ、Δｙを歩進カウンタ２８ｄの出力、アドレス変換回路２８ｂの出力に加える。」（３頁左下欄１行〜４頁左下欄４行）
　
（３Ａ−４）「処理時間を第４図で説明すると、第６図（ｂ）の画像は、超音波を一方向に８回送受信し、これらよりドップラ信号を取出すと共に、１回目の送受信でＢモード信号を得、これらにより画いている。扇形領域は３２方向に分割しており、従って第４図（ａ）に示すように送受信回数は３２×８＝２５６回である。深さ１９．５ｃｍまで計測するとすれば、１回の送受信には１９．５ｃｍ×２／１．５×１０５ｃｍ／Ｓ＝２６０μＳかかり、従って全体では３２×２６０μＳ＝８３ｍＳかかる。同じ時間にグラフ６１〜６４のデータも得るには第４図（ｂ）または（ｃ）に示すようにすればよく、これは可能である。即ち第４図（ｂ）では２４方向に分割しており、従って２Ｄ表示用には１９２回の送受信を行ない、残りの２５６−１９２＝６４回の送受信は１Ｄ（グラフ）表示用に割当てる。送受信回数を多くするとＳ／Ｎの向上、速度は周波数分解能の向上を図ることができ、定量測定用のグラフ表示にはこのように測定条件を変える（送受信回数を変える）のがよく、これにより高精度の１次元流速分布測定を可能とすることができる。また第４図（ｃ）では１６方向に分割して１６×８＝１２８回の送受信で２Ｄ表示を行ない、残りの１２８の送受信の各半分を１Ｄ表示用及びＢモード表示用に割当てている。
　第４図（ｂ）では単純に２Ｄ表示用に２４方向へ、１方向では８回ずつ超音波を送受信する操作を開始し、カーソルで指定されたＩＤ表示用線状領域へ来たとき６４回続けて超音波を送受信し、それが終ったら再び２Ｄ表示用の送受信を続けるという方法でもよいが、２Ｄ表示用と１Ｄ表示用の超音波送受信を交互に行なうようにしてもよい。」（５頁左上欄１行〜右上欄１２行）
　
（３Ａ−５）第２図（ｂ）には、カーソル１４ａの軸が生体内被検査領域の深さ方向を示し、及び、カーソル１４ａの軸に直交する方向に流速分布を示すことが描かれている。
　
　上記引用刊行物Ａの摘記事項（３Ａ−１）〜（３Ａ−５）の記載を参照すると、上記引用刊行物Ａには、　
「超音波診断装置において、超音波を生体内に送信し、反射波を受信し、マルチゲートドプラ処理部２６及びＢ／Ｍモード処理部２４を介して、グラフ６２で表わされる流速分布と、画像６０で表されるＢモード像をＣＲＴ画面７０に表示する超音波診断装置であって、
　プローブの送受信子を逐次選択して電圧印加することにより送出角度を順次異ならせて超音波を生体内被検査領域に送信する送信・偏向部２０と、
　生体内被検査領域からの反射波を受信する送受信子の反射波受信出力を受取る受信・偏向部２２と、
　送受信子の反射波受信出力を受取った受信・偏向部２２から送られる受信データをドップラ処理して血流速データを得るマルチゲートドプラ処理部２６と、
　送受信子の反射波受信出力を受取った受信・偏向部２２から送られる受信データをＢ／Ｍモード処理するＢ／Ｍモード処理部２４と、
　処理部２４でＢモード処理された画像データからＢモード像の画像６０を表示するとともに、マルチゲートドプラ処理部２６で処理された画像データからカーソル１４ａ線上に血流速分布のグラフ６２を表示する表示制御回路２８及び表示部３０と、
　を有し、
　血流速分布のグラフ６２をＢモード像の画像６０上の超音波送受信方向を示すカーソル１４ａ線上に表示する超音波診断装置。」
　の発明（以下、「引用発明」という。）が記載されているものと認める。
　　
（３Ｂ）原査定の拒絶の理由に引用され、本件出願の優先権主張の日前に頒布された、特開平１０−１６５４００号公報（以下、「引用刊行物Ｂ」という。）には、図面とともに次の事項が記載されている。
　
（３Ｂ−１）「【０００１】
【発明の属する技術分野】この発明は、超音波変調ビームを診断部に対して送受波して、診断部内の運動情報を抽出する超音波診断装置に関する。」
　
（３Ｂ−２）「【００１４】図１は超音波診断装置の構成を示すブロック図である。同図において発振器１は例えば５ＭＨｚの搬送波周波数信号を発生し、パルサ２はプローブ３の振動部の数に相当する数の駆動回路からなり、それぞれ発振器１の信号をパルス変調してプローブ３の各振動部からそれぞれ超音波のバースト波を発生させる。ディレイ回路５はプロセッサ２９から与えられる送受波ビームの指向方向のデータに応じて、パルサ２の各駆動回路に対して所定の時間差（位相差）をもってパルス変調信号を与える。これにより所定の指向方向に送波ビームが形成される。プリアンプ４はプローブ３の各振動部の受波信号を前段増幅し、ディレイ回路５はその信号をプロセッサ２９から与えられる送受波ビームの指向方向のデータに応じて、所定の時間差（位相差）をもって出力する。加算回路６は遅延されたこれらの受波信号を加算することによって、所定の指向方向からの受波信号の時系列信号を生成する。検波回路７は受波信号の振幅成分を検出する。ＡＤコンバータ８は検波信号をディジタル信号に変換し、プロセッサ２９はそのデータを順次読み取り、上記送受波ビームの指向方向（角度）と、そのビーム上のどの距離（深さ）からの受波信号が検出されているかを示すデータと検波信号のデジタルデータとによってＢモード像の画像データを生成し、これを画像メモリ３０に書き込む。表示制御部３１は画像メモリ３０に書き込まれたデータを画像として表示部３２に表示する。プロセッサ２９はＣＰＵ，ＲＡＭ，ＲＯＭを含み、ＣＰＵはＲＯＭにあらかじめ書き込んだプログラムを実行することによって前述および後述の処理を行う。ＲＡＭはそのプログラムの実行に際してワーキングエリアとして用いる。
【００１５】一方、９０度位相シフタ１２は発振器１の発振信号に対して９０度の位相差を与える。乗算回路１３は加算回路６によって得られた受波信号に対して、キャリア周波数の信号である発振器１の発振信号をＩ成分抽出用参照波として掛け合わせてＩ成分の信号を生成し、乗算回路１４は加算回路６によって得られた受波信号に対して、９０度位相のずれたキャリア周波数の信号をＱ成分抽出用参照波として掛け合わせてＱ成分の信号を生成する。ローパスフィルタ１５，１６は発振信号の周波数成分を含む不要な高周波成分を除去する。ここで、発振信号の角周波数をωr 、ドプラシフト角周波数をωd として、受波信号をＡcos(ωr + ωd) ｔとし、上記参照波をそれぞれＢcos ωr ｔおよびＢsin ωr ｔとすれば、ドプラシフト周波数信号のＩ成分は（ＡＢ／２）cos ωd ｔと表されＱ成分は（ＡＢ／２）sin ωd ｔと表される。このように、受波信号に対して９０度位相の異なる発振信号を参照波として乗じて、すなわち２乗検波して、ドプラシフト周波数より高域の周波数成分を除去することによって、９０度位相差検波によりドプラシフト周波数信号のＩ成分とＱ成分を抽出する。
【００１６】サンプルホールド回路１７，１８はタイミング信号発生回路３８からのタイミング信号によってローパスフィルタ１５，１６の出力信号をサンプリングし、ホールドする。具体的には、例えば２６ｋＨｚ等の所定のパルス繰り返し周波数（以下ＰＲＦという。）で同一方向に送波ビームを順次複数回送波するとともに、その都度ビーム上に所定のサンプルゲートの位置をサンプリングする。このＰＲＦは求めるべきドプラシフト周波数の最高周波数の２倍以上にとればよい。バンドパスフィルタ１９，２０はこの信号から、例えば呼吸や拍動などの０Ｈｚ付近に強く生じる不要な低周波信号成分、およびサンプリングにより生じる不要な高周波成分を除去する。マルチプレクサ２１，２２はタイミング信号発生回路３８からの切換信号に応じた入力を選択してＡＤコンバータ２３，２４へ与える。ＡＤコンバータ２３，２４はこれをそれぞれディジタルデータに変換する。メモリ２７はそれらのデータを記憶する。ＦＦＴ回路２８はメモリ２７にそれぞれ書き込まれたＩ成分およびＱ成分の時間波形データを高速フーリエ変換することによって、ドプラシフト周波数のスペクトルを求め、その実数部と虚数部との２乗和または２乗和の平方根、またはそれをさらに対数変換した値をパワースペクトルとして求める。このドプラシフト周波数のパワースペクトルは、血流速分布（縮流）、超音波ビームの幅方向への広がり、血管の形状および走行（乱流）、血球からの不規則散乱などの影響をうけて、通常或る広がりをもつため、最高ドプラシフト周波数は意味をもたない。そこで、例えばパワースペクトルの最高値の１／２のパワースペクトルを示す周波数をドプラシフト周波数として求める。
【００１７】上記サンプルホールド回路１７，１８、バンドパスフィルタ１９，２０は設定可能なサンプルゲートの数に対応する数だけあれば十分であるが、実際には各サンプルホールド回路は１スキャン分に亘ってホールドする必要がないため、それより少ない数でよい。すなわち、同一ビーム上にサンプルゲートが密集して、一部が重なる場合があっても、各サンプルゲートの信号を順次ＡＤ変換できるだけの数を用意しておいて、それらを順繰りに使用すればよい。
【００１８】プロセッサ２９はトラックボール３３およびキーボード３４の操作内容を読み取って、後述するサンプルゲート設定領域を設定し、その領域内にサンプルゲートの位置を設定する。すなわち、Ｂモード像抽出のための時間とは別の時間に、サンプルゲートを通る方向に送受波ビームを向けるとともに、タイミング信号発生回路３８がその送受波ビーム上のサンプルゲートの位置からの反射波をサンプリングし、その信号がサンプリングの順にＡＤコンバータ２３，２４に出力されるように、タイミング信号発生回路３８へ制御データを与える。また、プロセッサ２９はＦＦＴ回路２８の求めた各時刻の各サンプルゲートにおけるスペクトルからドプラシフト周波数すなわち運動物体の速度をそれぞれ求めるとともに、キーボード３４により選択される表示モードに応じて各種演算処理を施して画像データを生成し、これを画像メモリ３０に書き込む。表示制御部３１は画像メモリ３０に書き込まれた画像データに応じた画像を表示部３２に表示する。また、プロセッサ２９はカラーフローイメージデータを生成する回路（不図示）からのカラーフローデータを読み取って、画像メモリ３０にカラーフローイメージデータを書き込んだり、そのデータから血流速度の高い領域を抽出し、複数のサンプルゲートをその領域に自動設定する。オーディオ処理回路３５はバンドパスフィルタ１９，２０のいずれかから出力される、指定された１つのサンプルゲートにおけるドプラシフト周波数の信号を増幅し、スピーカ３６，３７へ出力する。これにより、指定されたサンプルゲートの位置におけるドプラシフト周波数の音の変化（血流速度の拍動音）を聞くことができる。
【００１９】このように受波信号に対して、９０度の位相差を持った送波信号のキャリア周波数信号をそれぞれ乗じてローパスフィルタを通すことによって９０度位相差検波を行い、ドプラシフト周波数信号のＩ信号とＱ信号を検出し、これを、設定したサンプルゲートの位置からの受波信号について検出するために、それぞれのサンプルゲートの位置に応じたタイミングでサンプルホールドし、それぞれのサンプルゲートにおけるドプラシフト周波数信号のドプラシフト周波数データを抽出する。これを送波ビームおよび受波ビームのスキャンを繰り返す毎に行うことによって、各サンプルゲートにおけるドプラ周波数の時間変化を検出する。」
　
（３Ｂ−３）「【００２１】図３はプローブと診断部およびサンプルゲートの設定領域との関係を示す図である。プローブ３によるスキャンはセクタ状であり、その範囲内のＢモード像を得る。このＢモード像が表示されている画面に対してセクタ状のサンプルゲート設定領域の対角の２点をトラックボールやジョイスティックなどのポインティングデバイスで設定することによって（Ａ）に示すようにセクタ状のサンプルゲート設定領域を設定する。このように診断部内にサンプルゲート設定領域を設定することによって、（Ｂ）に示すようにその設定領域内に複数のサンプルゲートを分布させる。この例では、サンプルゲート設定領域内の距離方向に等間隔、角度方向に略等角度にサンプルゲートが分布するようにその位置を自動決定する。
【００２２】尚、図１に示した構成で、メモリ２７およびＦＦＴ回路２８は、それぞれ複数のサンプルゲートについて受け持つようにすれば、メモリ２７およびＦＦＴ回路２８の数はサンプルゲートの数より少なくてもよい。また、サンプルゲートの位置がプローブ３に近づくほど、角度方向に隣接するサンプルゲートの間隔が狭くなり、逆にサンプルゲートの位置がプローブ３より遠ざかるほど、角度方向に隣接するサンプルゲートの間隔が広くなるため、プローブに近い位置ほど角度方向のサンプルゲートの間隔を間引くようにし、プローブから遠い位置ほど角度方向のサンプルゲートの間隔を補間するようにして、限られた設定可能なサンプルゲートの数を有効に利用するようにしてもよい。また、サンプルゲート設定領域を設定する方式ではなく、複数のサンプルゲートの位置を個別に任意に設定するようにしてもよい。
【００２３】図４はこのようにして設定された各サンプルゲートにおけるドプラシフト周波数の大きさ、すなわち血流速度に応じた濃度および色の像をＢモード像に重ねて表示させた例である。ただし、図面上では濃度および色を表せないので、濃度の違いをドットの大きさで表している。また、拍動によって血流速度が変化するため、時間経過に伴って上記サンプルゲート位置の濃度および色が変化する。このように白黒のＢモード像に対してサンプルゲートのドプラシフトの大きさに応じたカラー画像を重ねて表示することによって、血流のある位置および血流速度の変化を容易に把握できるようになる。尚、上記実施形態の濃度および色を用いて表示する代わりに、血流の速度と方向を示す情報をベクトル表示することもできる。また、上記濃度および色に加えて重ねて血流の速度と方向を示す情報をベクトル表示させることもできる。
【００２４】図５は受波ビーム上の血流速度のプロファイルを求めた場合の例について示している。（Ａ）に示す例では、血管内の狭窄部を含む領域をサンプルゲート設定領域としている。通常このような血栓の音響特性は血液の音響特性と殆ど同一であるため、血管内の狭窄部はＢモード像には殆ど表れない場合もある（前述のカラーフローイメージングでも解像度が低いため、画像上には殆ど表れない場合もある。）。血流速度プロファイルを求めるには、各受波ビーム上の各サンプルゲートにおけるドプラシフト周波数（すなわち血流速度に比例する値）の瞬時値を求め、その時間波形におけるピーク値または時間平均値を検出し、（Ｂ）に示すように受波ビーム上の各サンプルゲート位置における血流速度を結ぶ曲線を求めれば、それが血流速度プロファイルとなる。このような血流速度プロファイルを各受波ビーム毎に抽出すれば、サンプルゲート設定領域内についての血流速度分布が求まる。このように血管断面での血流速度プロファイルが求まれば、これからより正確な血流量の計算が可能となる。」
　
（３Ｂ−４）「【００２８】図１０は複数のサンプルゲートについて同時計測が可能な本願の特徴を利用して、同時に複数のサンプルゲート位置における血流速度波形を表示した例である。画面の上方にはＢモード像にサンプルゲート位置を示すマークを重ねて表示し、下部には各サンプルゲート位置における血流速度波形を表示する。サンプルゲート数が多い場合には、血流速度波形を更に細かく配列するか、キー操作などによってページを切り換えて表示するようにしてもよい。
【００２９】以上に述べた例では、プローブを中心とする扇形の範囲をスキャンする例を示したが、図１１に示すようにいわゆるリニアプローブ方式で、プローブに垂直な方向に送波ビームおよび受波ビームを形成し、ビームの位置を平行に移動させる場合についても同様に適用することができる。尚、プローブの送受波面に対して、送波ビームおよび受波ビームの傾き角度は血流の方向に応じて変えられる。この場合も、サンプルゲート設定領域の対角位置をトラックボールなどによって設定することにより、ビーム方向およびスキャン方向についてそれぞれ等間隔にサンプルゲートを分布させるように各サンプルゲートの位置を自動設定するように構成すればよい。」
　
（３Ｂ−５）図１０には、Ｂモード画像上の２つの送受信方向における複数の所定のサンプルゲート位置での血流速度波形を、Ｂモード画像とともに表示することが描かれている。
　
（イ）本願補正発明と引用発明との対比・判断
　（イ−１）本願補正発明と引用発明とを対比する。
（i）引用発明の「超音波診断装置」及び「生体内」は、その構成・機能からみて、それぞれ本願補正発明の「 超音波システム（１０）」及び「検査対象物（Ｓ）」に相当する。
　さらに、引用発明の「マルチゲートドプラ処理部２６」は、受信データをドップラ処理して血流速データを得ることから、本願補正発明の「マルチゲート方式ドップラー・データ」「を取得」するものに相当し、また、上記引用刊行物Ａの摘記事項（３Ａ−４）に、
「処理時間を第４図で説明すると、第６図（ｂ）の画像は、超音波を一方向に８回送受信し、これらよりドップラ信号を取出すと共に、１回目の送受信でＢモード信号を得、これらにより画いている。扇形領域は３２方向に分割しており、従って第４図（ａ）に示すように送受信回数は３２×８＝２５６回である。深さ１９．５ｃｍまで計測するとすれば、１回の送受信には１９．５ｃｍ×２／１．５×１０５ｃｍ／Ｓ＝２６０μＳかかり、従って全体では３２×２６０μＳ＝８３ｍＳかかる。」
　と記載されており、この記載によれば、引用発明の「Ｂ／Ｍモード処理部２４」は、Ｂモードにおいて、受信データをＢモード処理していることから、本願補正発明の「Ｂモード・データを取得」することに相当する。
　そうすると、引用発明の「超音波を生体内に送信し、反射波を受信し、マルチゲートドプラ処理部２６及びＢ／Ｍモード処理部２４を介して、グラフ６２で表わされる流速分布と、画像６０で表されるＢモード像をＣＲＴ画面７０に表示する超音波診断装置」が、本願補正発明の「検査対象物（Ｓ）から、マルチゲート方式ドップラー・データ及びＢモード・データを取得して表示する装置」に相当する。
　
（ii）本件出願明細書の段落【００１１】に、
「 図１のスキャナ・システム１０の『フロントエンド』部は、超音波トランスデューサ・アレイ４０と、
送信器（ＴＸ
受信器（ＲＸ）
５０
　と記載されていることから、引用発明の「プローブの送受信子を逐次選択して電圧印加することにより送出角度を順次異ならせて超音波を生体内被検査領域に送信する送信・偏向部２０」が、本願補正発明の「前記検査対象物内へ超音波を送信するように接続されている超音波送信器（５０）」に相当する。
　また、例えば、特開昭６２−１６４４４１号公報に、
「（ａ）焦点を合わせた
信号を血管の中心へ送り、かつ血管内の血液流を表す後方散乱ドプラーシフト信号を受ける
　と記載されているように、超音波を送信した際の対象物からの反射波が、対象物から後方散乱された超音波であることは自明な技術事項であることから、引用発明の「生体内被検査領域からの反射波を受信する送受信子の反射波受信出力を受取る受信・偏向部２２」が、本願補正発明の「前記検査対象物から後方散乱された超音波に応答して、後方散乱信号を作成するように接続されている受信器（５０）」に相当する。
　
（iii）例えば、特開昭６２−１３７０４１号公報に、
「〔従来の技術〕
　
超音波診断装置における血流速プロファイル表示は
診断領域内の連続する複数位置に対応させた多数のサンプルゲートを設け、並列に周波数解析処理すなわちドプラ解析を行い
深さ方向（ビーム方向）の血流速分布を求める場合に使用される
　こと、
「〔問題点を解決するための手段〕
　本発明は、
血流速プロファイル情報を作成するために使用する複数のサンプルゲート（以後、マルチゲートという）
　こと、及び、
「なお２本発明による単一ゲートパルスとマルチゲートパルスとの連動制御は、必要に応じて任意に解除可能にすることもできる。その場合には。
従来の装置と同様に、血流速プロファイル表示領域を
任意設定することができる
　ことが記載されているように、超音波診断装置のドップラー処理に用いられるマルチゲートが、任意に設定された深さ方向、すなわち、距離に対応して設けられた多数のサンプルゲートであることは技術常識であるから、引用発明の「送受信子の反射波受信出力を受取った受信・偏向部２２から送られる受信データをドップラ処理して血流速データを得るマルチゲートドプラ処理部２６」の「マルチゲート」が、本願補正発明の「前記後方散乱信号に応答して、前記対象物内の深さ変分の所定の範囲を表す複数のドップラー信号サンプルを作成する複数の距離ゲート（７１〜７４）」に相当する。
　
（iv）本件出願明細書の段落【００１０】に、
「 図１に示される好ましい実施形態では、Ｂモード・データ処理は処理装置２０の形態の専用のＢモード論理装置で具現化される。一方、ドップラーＩ／Ｑデータのマルチゲート処理、及び全てのＢモード後処理（走査変換、ビデオ処理）はプログラマブル・コンピュータ３０の形態の別の論理装置で実行される。論理装置２０及び３０は、マイクロプロセッサ、ディジタル信号処理装置、又は論理及び算術演算が可能な特定用途向け集積回路を含めて、様々なデバイスによって具現化することができる。」
　と記載されていることから、引用発明の「マルチゲートドプラ処理部２６」、及び「Ｂ／Ｍモード処理部２４」が、本願補正発明の「論理装置」に含まれることは明らかである。
　また、本件出願明細書の段落【００１７】に、
「［異なる表示窓におけるＢモード及びスペクトル・フロー画像］
  図３は表示装置６０の画面１１０上の一形態の表示を表す。ドップラー周波数信号を表すドップラー画像ＤＩが画面１１０の一部分１２０に表示される。該画面部分１２０において、垂直軸Ｖは距離の位置（対象物Ｓ内の深さ変分）を表し、
水平軸はドップラー・シフト周波数すなわち速度を表す
ドップラー速度はドップラー周波数の一形態を表しているものと見なす
　と記載されていることから、本願補正発明の「ドップラー周波数信号」は、「ドップラー・シフト周波数」すなわち「速度」を意味し、さらに、上記引用刊行物Ａの摘記事項（３Ａ−２）に、
「また
超音波が、血液のように動いているものに当って反射すると、反射超音波の周波数はドツプラ効果により送信超音波の周波数より流速に応じた値だけずれており、このずれより該流速（詳しくは超音波送受信方向の速度成分）を求め、流速分布をブラウン管に表示することができる
　ことが記載されていることから、引用発明の「受信データをドップラ処理して血流速データを得る」ことは、本願補正発明の「複数のドップラー周波数信号を作成する」ことに含まれる。
　そして、上記引用刊行物Ａの摘記事項（３Ａ−２）に、
「
第６図（ｂ）はＢモード像上の２Ｄ表示例を示し、
この像は第５図に示すようにプローブ（超音波送受信器）１０からの超音波で生体内被検査領域を扇形走査して得られたものである
・・・
　第６図（ａ）のような
Ｍモード像を表示する場合はカーソル１４により超音波を送受信する線状領域を指定し
この線状領域へ超音波を繰り返し
反射超音波を受信する
その受信データを処理部２４
処理し
表示部３０
示すれば
反射点までの距離を縦軸にして、第６図（ａ）の曲線４１，４２，４３の如き像が表示され
プローブ１０で送受信する超音波送出領域を線状領域に限定せず、扇状領域１２に亘って変化させれば、第６図（ｂ）の像になる
　と記載されていることから、Ｂ／Ｍモード処理部２４が、Ｂモード処理する際には、扇状領域１２の深さの範囲内をＢモード処理することになる。
　そうすると、引用発明の「送受信子の反射波受信出力を受取った受信・偏向部２２から送られる受信データをドップラ処理して血流速データを得るマルチゲートドプラ処理部２６」及び「送受信子の反射波受信出力を受取った受信・偏向部２２から送られる受信データをＢ／Ｍモード処理するＢ／Ｍモード処理部２４」が、本願補正発明の「前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）」に相当する。
　
（v）上記引用刊行物Ａの摘記事項（３Ａ−２）に、
「
第６図（ｂ）はＢモード像上の２Ｄ表示例を示し、
この像は第５図に示すようにプローブ（超音波送受信器）１０からの超音波で生体内被検査領域を扇形走査して得られたものである
　と記載されており、この記載によれば、引用発明において、Ｂモード像の画像６０は、生体内の扇形の被検査領域の画像を表示しているものといえる。
　さらに、上記引用刊行物Ａの摘記事項（３Ａ−４）に、
「第２図（ｂ）には、
カーソル１４ａの軸が生体内被検査領域の深さ方向を示し、及び、カーソル１４ａの軸に直交する方向に流速分布を示す
　ことが記載されており、また、上記（iv）において検討したように、本願補正発明の「ドップラー周波数信号」は、「ドップラー・シフト周波数」すなわち「速度」を意味することを考慮すると、引用発明の「処理部２４でＢモード処理された画像データからＢモード像の画像６０を表示するとともに、マルチゲートドプラ処理部２６で処理された画像データからカーソル１４ａ線上に血流速分布のグラフ６２を表示する表示制御回路２８及び表示部３０」と、本願補正発明の「前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表す複数のドップラー画像を作成する表示装置（６０）」とは、「前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表すドップラー画像を作成する表示装置（６０）」である点で共通する。
　
（vi）上記引用刊行物Ａの摘記事項（３Ａ−４）に、
「第２図（ｂ）には、
カーソル１４ａの軸が生体内被検査領域の深さ方向を示し、及び、カーソル１４ａの軸に直交する方向に流速分布を示す
　ことが記載されていることから、引用発明の「血流速分布のグラフ６２をＢモード像の画像６０上の超音波送受信方向を示すカーソル１４ａ線上に表示する超音波診断装置」と、本願補正発明の「前記深さ変分の範囲を表す前記ドップラー画像の一部は、前記深さ変分の範囲内の前記対象物の一部を表すＢモード画像に重ね合わされる、検査対象物（Ｓ）からドップラー及びＢモード・データを取得して表示する装置」とは、「前記深さ変分の範囲を表す前記ドップラー画像は、前記深さ変分の範囲内の前記対象物の一部を表すＢモード画像に重ね合わされる、検査対象物（Ｓ）からドップラー及びＢモード・データを取得して表示する装置」である点で共通する。
　
　そうすると、本願補正発明と引用発明とは、
「 超音波システム（１０）において、検査対象物（Ｓ）から、マルチゲート方式ドップラー・データ及びＢモード・データを取得して表示する装置であって、
　前記検査対象物内へ超音波を送信するように接続されている超音波送信器（５０）と、
　前記検査対象物から後方散乱された超音波に応答して、後方散乱信号を作成するように接続されている受信器（５０）と、
　前記後方散乱信号に応答して、前記対象物内の深さ変分の所定の範囲を表す複数のドップラー信号サンプルを作成する複数の距離ゲート（７１〜７４）と、
　前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）と、
　前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表すドップラー画像を作成する表示装置（６０）と、
を有し、
　前記深さ変分の範囲を表す前記ドップラー画像は、前記深さ変分の範囲内の前記対象物の一部を表すＢモード画像に重ね合わされる、検査対象物（Ｓ）からドップラー及びＢモード・データを取得して表示する装置。」
　である点で一致し、次の相違点（あ）〜相違点（う）で相違する。
　　　
・相違点（あ）
　第１の軸に沿って前記ドップラー周波数を表し且つ第２の軸に沿って深さ変分の範囲を表すドップラー画像を作成する際に、本願補正発明では、「複数」のドップラー画像を作成するのに対して、引用発明では、カーソル１４ａ線上に血流速分布のグラフ６２を表示する点。
　
・相違点（い）
　本願補正発明では、「前記超音波は、前記対象物内の第１の関心領域（ＲＯＩ１）へ方向付けされた第１のドップラー・ビーム（Ｂ１）と、前記対象物内の第２の関心領域（ＲＯＩ２）へ方向付けされ、前記第１のドップラー・ビーム（Ｂ１）に対して独立した第２のドップラー・ビーム（Ｂ２）とを含んでおり、前記後方散乱信号は、前記第１のドップラー・ビーム（Ｂ１）に応答して前記第１の関心領域から後方散乱された超音波に応答して作成された第１群の後方散乱信号と、前記第２のドップラー・ビーム（Ｂ２）に応答して前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり、
　また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んで」いるのに対して、引用発明ではそのような構成を備えていない点。
　
・相違点（う）
　深さ変分の範囲を表す前記ドップラー画像が、前記深さ変分の範囲内の前記対象物の一部を表すＢモード画像に重ね合わされる際に、本願補正発明では、深さ変分の範囲を表す前記ドップラー画像の「一部」が前記深さ変分の範囲内の前記対象物の一部を表すＢモード画像に重ね合わされるのに対して、引用発明では、血流速分布のグラフ６２をＢモード像の画像６０上のカーソル１４ａ線上に表示する点。
　　
（イ−２）当審の判断
　そこで、上記相違点（あ）〜相違点（う）について判断する。
　まず、最初に、相違点（う）について検討し、次に相違点（あ）及び相違点（い）を検討する。
　
・相違点（う）について
　引用発明は、血流速分布のグラフ６２をＢモード像の画像６０上の超音波送受信方向を示すカーソル１４ａ線上、すなわち、超音波送受信方向の血流速分布の全体をＢモード像の画像６０に重ねて表示しているが、超音波診断装置において、Ｂモード画像と、ドップラー血流速度を同時表示させる際に、検査領域からの反射波信号のうち、所定の深さ範囲からの反射波の信号を受波するようにゲートを設定して、ドップラー血流速度の一部の領域のみを表示することは周知である。
　たとえば、上記引用刊行物Ｂの摘記事項（３Ｂ−１）及び（３Ｂ−３）に、それぞれ、
「【０００１】
【発明の属する技術分野】この発明は、超音波変調ビームを診断部に対して送受波して、診断部内の運動情報を抽出する超音波診断装置に関する。」
　こと、及び、
「【００２３】
図４はこのようにして設定された各サンプルゲートにおけるドプラシフト周波数の大きさ、すなわち血流速度に応じた濃度および色の像をＢモード像に重ねて表示させた例である
【００２４】
図５は受波ビーム上の血流速度のプロファイルを求めた場合の例について示している。（Ａ）に示す例では、血管内の狭窄部を含む領域をサンプルゲート設定領域としている
各受波ビーム上の各サンプルゲートにおけるドプラシフト周波数（すなわち血流速度に比例する値）の瞬時値を求め、その時間波形におけるピーク値または時間平均値を検出し、（Ｂ）に示すように受波ビーム上の各サンプルゲート位置における血流速度を結ぶ曲線を求めれば、それが血流速度プロファイルとなる
　ことが記載されており、さらに、特開平７−２８６９９９号公報に、
「【０００１】
【産業上の利用分野】本発明は、
超音波のドプラ効果を利用して被検体内の任意の観測範囲の血流情報や組織の運動情報などの移動物体の移動情報を診断する超音波診断装置に関する
・・・
【０００４】このバースト波を採用した場合、移動物体の観測範囲内の移動情報（例えば血流速度）は以下のように得られる。まず、例えば
ＴＶモニタ上に図３に示すような被検体の断層像（Ｂモード像）と観測範囲を示すサンプルボリュームマーカ（以下、マーカという。）を表示してドプラ信号の検出対象部位（図中では血管）を探す
マーカの観測領域（空間長）、観測位置（深さなど）を設定する
レンジゲート回路によりドプラ信号に対してレンジゲートを掛ける一例について具体的に説明する
図４に示すようにレンジゲート回路は、プローブ先端を基準（時刻ｔ
０ 
 を起点）にし、レンジゲートを掛けてマーカ内の最浅部に相当する時刻から最深部に相当する時刻の範囲に時間幅（ゲート幅）τ
 Ｇ
 のドプラ信号を切り出している
切り出されたドプラ信号は
周波数分析器に送られる
周波数分析器では
観測範囲内の周波数スペクトラムを求める
求めた周波数スペクトラムは、血流速度に対応するものとして、ＴＶモニタに表示される
　ことが記載されている。　
　そして、引用発明の
超
　
・相違点（あ）及び相違点（い）について
（１）引用発明では、超音波送受信方向を示す１つのカーソル１４ａ線上に血流速分布のグラフ６２を表示しているが、超音波により血流速度を測定する際に、複数の超音波送受信方向の血流速を同時に表示することは周知である。
　例えば、上記引用刊行物Ｂの（３Ｂ−４）及び（３Ｂ−５）にそれぞれ、
「【００２８】
図１０は複数のサンプルゲートについて同時計測が可能な本願の特徴を利用して、同時に複数のサンプルゲート位置における血流速度波形を表示した例である
　こと、及び、
「図１０には、
Ｂモード画像上の２つの送受信方向における複数の所定のサンプルゲート位置での血流速度波形を、Ｂモード画像とともに表示す
　ことが記載され、また、「P.TORTOLI,F.ANDREUCCETTI,G.MANES, C.ATZENI，Blood Flow Images by a SAW-Based Multigate Doppler System，IEEE TRANSACTIONS ON ULTRASONICS,FERRO ELECTRICS,AND FREQUENCY CONTROL，１９８８年　９月，VOL.35,NO.5，p545-551」に、
「Multigate pulsed Doppler systems [3]-[6], capable of measuring the instantaneous blood velocity profiles on the beam axis, represent significant example of this evolution.(当審訳：ビーム軸上の
血流速度プロフィールを瞬時に測ることができる、マルチゲートパルスドップラー・システム
　こと、及び、
「The experimental velocity profiles obtained correspond to four different positions of the transducer and are reported in the lower part of Fig. 10.当審訳：得られた実験的
速度プロフィールは変換器の異なる４つの位置に対応しており、
　と記載されている。　
　そして、引用発明と上記周知のものとは、超音波により血流速度を測定する点で共通することから、引用発明において、超音波送受信方向を示すカーソル１４ａ線上に血流速分布のグラフ６２を表示する際、上記周知例の複数の超音波送受信方向の血流速を同時に表示する構成を採用し、超音波送受信方向を示す複数のカーソル線上に血流速分布のグラフを表示することにより本願補正発明のごとく、第１の軸に沿って前記ドップラー周波数を表し且つ第２の軸に沿って深さ変分の範囲を表すドップラー画像を作成する際に、「複数」のドップラー画像を作成することは当業者が容易になし得るものである。（相違点（あ））
　
（２）さらに、上記周知例の複数の超音波送受信方向の血流速を同時に表示する構成を採用し、超音波送受信方向を示す複数のカーソル線上に血流速分布のグラフを表示することは、複数、例えば、２つの超音波送受信方向の生体内被検査領域に超音波を送信し、この２つの生体内被検査領域から後方散乱される２つの反射波を受信し受信データを得、さらに受信した２つの受信データをそれぞれドップラー処理して、２つの血流速分布の画像、すなわち、２つのドップラー画像を得て、表示部３０に表示することになるから、超音波送受信方向を示す複数、例えば２つのカーソル線上に血流速分布のグラフを表示することにより、本願補正発明のごとく、「前記超音波は、前記対象物内の第１の関心領域（ＲＯＩ１）へ方向付けされた第１のドップラー・ビーム（Ｂ１）と、前記対象物内の第２の関心領域（ＲＯＩ２）へ方向付けされ、前記第１のドップラー・ビーム（Ｂ１）に対して独立した第２のドップラー・ビーム（Ｂ２）とを含んでおり、前記後方散乱信号は、前記第１のドップラー・ビーム（Ｂ１）に応答して前記第１の関心領域から後方散乱された超音波に応答して作成された第１群の後方散乱信号と、前記第２のドップラー・ビーム（Ｂ２）に応答して前記第２の関心領域から後方散乱された超音波に応答して作成された第２群の後方散乱信号とを含んでおり、前記複数のドップラー信号サンプルは、前記第１群の後方散乱信号に応答して作成された第１群のドップラー信号サンプルと、前記第２群の後方散乱信号に応答して作成された第２群のドップラー信号サンプルとを含んでおり、また前記複数のドップラー信号サンプルは、前記第１群のドップラー信号サンプルに応答して作成された第１の複数のドップラー周波数信号と、前記第２群のドップラー信号サンプルに応答して作成された第２の複数のドップラー周波数信号とを含んでおり、前記ドップラー画像は、前記第１の複数のドップラー周波数信号に応答して作成された第１のドップラー画像と、前記第２の複数のドップラー周波数信号に応答して作成された第２のドップラー画像とを含んで」いる構成となることは明らかである。（相違点（い））
　
（３）また、上記「・相違点（う）について」おいて検討したように、引用発明において、Ｂモード画像と、ドップラー血流速度を同時表示させる際に、周知の構成を採用し、超音波送受信方向を示すカーソル１４ａ線上のうちの所定の深さ範囲の生体内被検査領域を受信できるようにマルチゲートを設定し、得られた血流速分布のグラフ６２をＢモード像の画像６０上のカーソル１４ａ線上の所定の範囲に表示するようにした場合には、超音波送受信方向を示す複数のカーソル線上に表示される血流速分布のグラフが、Ｂモード像の画像６０上の複数のカーソル１４線上の所定の範囲の血流速分布を表示することになるのは自明な事項である。
　
　そして、本願補正発明によってもたらされる効果は、引用発明及び周知の技術事項から予測される範囲内のものであって、格別のものではない。
　　　
　なお、請求人は、当審の審尋に対する回答書において、
「本願発明のスペクトラルフロー表示では、対象物内の深さ変分の所定の範囲（時間ではなく）に対する（平均カラーフロー速度ではなく）ドップラー周波数信号（速度）のプロットが行われます。かかるプロットは引用文献２のストリップ・チャートとは大きく異なるものであります。本願発明のスペクトラルフロー表示では、例えば、血管壁に近いゼロに近い速度や中心付近のより速いドップラー周波数（速度）で血管の管内に渡る空間的速度分布をマップアウトすることができ、スペクトラルフロー全体のプロファイルは表示画面上で心サイクルに渡って高速に拍動することとなります。」
　旨の主張をしている。
　そこで、上記請求人の主張について検討する。
　上記「（イ−１）」の（v）において検討したように、上記引用刊行物Ａの摘記事項（３Ａ−４）に、
「第２図（ｂ）には、カーソル１４ａの軸が生体内被検査領域の深さ方向を示し、及び、カーソル１４ａの軸に直交する方向に流速分布を示す」
　ことが記載されており、また、上記（iv）において検討したように、本願補正発明の「ドップラー周波数信号」は、「ドップラー・シフト周波数」すなわち「速度」を意味することを考慮すると、引用発明の血流速分布としてグラフ６２は、血管壁の近傍や血管の中央の血流速度（ドップラー周波数）を表示するものである。
　さらに、上記「・相違点（う）について」において検討したように、超音波診断装置において、Ｂモード画像と、ドップラー血流速度を同時表示させる際に、検査領域からの反射波信号のうち、所定の深さ範囲からの反射波の信号を受波するようにゲートを設定して、ドップラー血流速度の一部の領域のみを表示することは、例えば、上記引用刊行物Ｂに記載されているように周知であるから、引用発明において、Ｂモード画像と、ドップラー血流速度を同時表示させる際に、周知の構成を採用し、超音波送受信方向を示すカーソル１４ａ線上のうちの所定の深さ範囲の生体内被検査領域を受信できるようにマルチゲートを設定し、得られた血流速分布のグラフ６２をＢモード像の画像６０上のカーソル１４ａ線上の所定の範囲に表示することにより、「対象物内の深さ変分の所定の範囲（時間ではなく）に対する（平均カラーフロー速度ではなく）ドップラー周波数信号（速度）のプロットが行われ・・・本願発明のスペクトラルフロー表示では、例えば、血管壁に近いゼロに近い速度や中心付近のより速いドップラー周波数（速度）で血管の管内に渡る空間的速度分布をマップアウトする」ことができるから、請求人の主張は採用できないものである。
　
　したがって、本願補正発明は、引用発明及び周知の技術事項に基づいて当業者が容易に発明をすることができたものであるから、特許法第２９条第２項の規定により特許出願の際独立して特許を受けることができないものである。
　（４）補正却下の決定についてのむすび
　以上のとおりであるから、本件補正は、平成１８年改正前の特許法第１７条の２第５項において準用する同法第１２６条第５項の規定に違反するものであり、同法第１５９条第１項において読み替えて準用する同法第５３条第１項の規定により却下しなければならないものである。　
　　　　　　　　　　　　　　
第３　本願発明について
　１．本願発明
　平成２３年１０月１２日付けの手続補正は上記のとおり却下されることとなったので、本願の請求項１〜１１に係る発明は、平成２３年２月１７日付け手続補正書で補正された特許請求の範囲の請求項１〜１１に記載された事項により特定されるとおりのものであって、その請求項１に係る発明（以下、「本願発明」という。）は、上記「第２　２　（１）」の「ア　本件補正前の特許請求の範囲の請求項１に記載したように、以下のとおりのものである。
　　　　　　　　　
「【請求項１】 超音波システム（１０）において、検査対象物（Ｓ）から、マルチゲート方式ドップラー・データ及びＢモード・データを取得して表示する装置であって、
　前記検査対象物内へ超音波を送信するように接続されている超音波送信器（５０）と、
　前記検査対象物から後方散乱された超音波に応答して、後方散乱信号を作成するように接続されている受信器（５０）と、
　前記後方散乱信号に応答して、前記対象物内の深さ変分の所定の範囲を表す複数のドップラー信号サンプルを作成する複数の距離ゲート（７１〜７４）と、
　前記ドップラー信号サンプルに応答して、前記深さ変分の範囲を表す複数のドップラー周波数信号を作成すると共に、前記後方散乱信号に応答して、前記深さ変分の範囲を表すＢモード・データを作成する論理装置（２０，３０）と、
　前記Ｂモード・データに応答して、前記深さ変分の範囲内の前記対象物の一部を表すＢモード画像を作成すると共に、前記ドップラー周波数信号に応答して、第１の軸に沿って前記ドップラー周波数を表し且つ第２の軸に沿って前記深さ変分の範囲を表すドップラー画像を作成する表示装置（６０）と、
を有し、
　前記深さ変分の範囲を表す前記ドップラー画像の一部は、前記深さ変分の範囲内の前記対象物の一部を表すＢモード画像に重ね合わされる、検査対象物（Ｓ）からドップラー及びＢモード・データを取得して表示する装置。」　　　　
　　　
　２．引用刊行物の記載事項
　原査定の拒絶の理由に引用された引用刊行物の記載事項は上記「第２　２　（３）」の（ア）に記載したとおりである。
　　　　　　　　　
　３．本願発明と引用発明との対比・判断
　本件補正は、上記「第２」の「２　補正却下の決定の理由」の「（２）　本件補正の適否について」において検討したように、本件補正前の請求項１の構成を、減縮し特定する補正であるから、特許請求の範囲を減縮するものである。
　そうすると、本願発明の構成要件を全て含み、さらに減縮したものに相当する本願補正発明が、上記「第２　２　（３）」の（イ）において検討したとおり、引用発明及び周知の技術事項に基づいて当業者が容易に発明をすることができたものであることから、本願発明も同様の理由により、引用発明及び周知の技術事項に基づいて当業者が容易に発明をすることができたものである。
　
　４．むすび
　以上のとおり、本願発明は特許法第２９条第２項の規定により特許を受けることができないものであるので、本件出願は、その余の請求項に係る発明について検討するまでもなく、拒絶をすべきものである。
　よって、結論のとおり審決する。